(57)【要約】【課題】長期周波数安定度を向上させることができる量子干渉装置を提供すること、また、この量子干渉装置を備える原子発振器、電子機器および移動体を提供すること。【解決手段】アルカリ金属が封入されている原子セルと、前記アルカリ金属を励起する光を出射する光源部と、前記光源部の温度を調節する光源温度調節部と、前記原子セルを透過した光を受光し、その受光強度に応じた信号を出力する受光部と、前記受光部の出力信号に基づいて、前記原子セルを透過する前記光の量の経時的変化に応じた信号を出力する検出部と、前記検出部の出力信号に基づいて、前記光源温度調節部の駆動を制御する光源温度制御部と、を備えることを特徴とする量子干渉装置。【選択図】図１
2018101886.tif 000002
【特許請求の範囲】
【請求項１】
アルカリ金属が封入されている原子セルと、
前記アルカリ金属を励起する光を出射する光源部と、
前記光源部の温度を調節する光源温度調節部と、
前記原子セルを透過した光を受光し、その受光強度に応じた信号を出力する受光部と、
前記受光部の出力信号に基づいて、前記原子セルを透過する前記光の量の経時的変化に応じた信号を出力する検出部と、
前記検出部の出力信号に基づいて、前記光源温度調節部の駆動を制御する光源温度制御部と、を備えることを特徴とする量子干渉装置。
【請求項２】
前記検出部は、前記受光部の出力信号が入力される自動利得制御回路を有し、前記自動利得制御回路の増幅率に応じた信号を出力する請求項１に記載の量子干渉装置。
【請求項３】
前記原子セルの温度を調節するセル温度調節部と、
前記検出部の出力信号に基づいて、前記セル温度調節部の駆動を制御するセル温度制御部と、を備える請求項１または２に記載の量子干渉装置。
【請求項４】
前記受光部の出力信号に基づいて、前記アルカリ金属の原子が有する２つの基底準位間の遷移周波数に応じたマイクロ波信号を生成する信号生成部と、
前記マイクロ波信号に基づく変調電流をバイアス電流に重畳した駆動電流を前記光源部に入力することにより、前記光源部を駆動する駆動回路と、を備える請求項１ないし３のいずれか１項に記載の量子干渉装置。
【請求項５】
前記マイクロ波信号の振幅を一定にするように増幅して出力する自動利得制御回路を備える請求項４に記載の量子干渉装置。
【請求項６】
前記受光部の出力信号に基づいて、前記バイアス電流の電流値を調整するバイアス電流調整部を備える請求項４または５に記載の量子干渉装置。
【請求項７】
前記信号生成部は、前記受光部の出力信号を第１周期ごとに検波した結果に基づいて、前記マイクロ波信号を生成し、
前記検出部は、前記第１周期とは異なる第２周期で前記経時的変化に応じた信号を出力する請求項４ないし６のいずれか１項に記載の量子干渉装置。
【請求項８】
請求項１ないし７のいずれか１項に記載の量子干渉装置を備えることを特徴とする原子発振器。
【請求項９】
請求項１ないし７のいずれか１項に記載の量子干渉装置を備えることを特徴とする電子機器。
【請求項１０】
請求項１ないし７のいずれか１項に記載の量子干渉装置を備えることを特徴とする移動体。
【発明の詳細な説明】
【技術分野】
【０００１】
本発明は、量子干渉装置、原子発振器、電子機器および移動体に関するものである。
【背景技術】
【０００２】
高い長期周波数安定度を有する発振器として、ルビジウム、セシウム等のアルカリ金属の原子のエネルギー遷移に基づいて発振する原子発振器が知られている（例えば、特許文献１参照）。
【０００３】
例えば、特許文献１に記載の原子発振器は、気体状のアルカリ金属を封入したセル（原子セル）と、セルに照射する光を出射する半導体レーザー素子と、セルを透過した光を検出する光検出器と、を備え、光検出器の検出結果に基づいて、半導体レーザーの駆動を制御する。
【先行技術文献】
【特許文献】
【０００４】
【特許文献１】米国特許第６３２０４７２号明細書
【発明の概要】
【発明が解決しようとする課題】
【０００５】
特許文献１に記載の原子発振器では、経時変化により、例えば、アルカリ金属がセルの内壁に吸収されてセル内のアルカリ金属の密度が低下したり、半導体レーザー素子が劣化して半導体レーザー素子の出力が低下したりすると、それに伴って、光検出器で検出される信号強度が低下し、その結果、周波数精度を悪化させてしまうという問題がある。
【０００６】
本発明の目的は、長期周波数安定度を向上させることができる量子干渉装置を提供すること、また、この量子干渉装置を備える原子発振器、電子機器および移動体を提供することにある。
【課題を解決するための手段】
【０００７】
上記目的は、下記の本発明により達成される。
本発明の量子干渉装置は、アルカリ金属が封入されている原子セルと、
前記アルカリ金属を励起する光を出射する光源部と、
前記光源部の温度を調節する光源温度調節部と、
前記原子セルを透過した光を受光し、その受光強度に応じた信号を出力する受光部と、
前記受光部の出力信号に基づいて、前記原子セルを透過する前記光の量の経時的変化に応じた信号を出力する検出部と、
前記検出部の出力信号に基づいて、前記光源温度調節部の駆動を制御する光源温度制御部と、を備えることを特徴とする。
【０００８】
このような特徴を有する量子干渉装置によれば、原子セルを透過する光の量の経時的変化に応じた信号に基づいて、光源温度調節部の駆動を制御するため、原子セル内のアルカリ金属の密度および光源部の光量の少なくとも一方が経時的に低下しても、受光部の出力信号が経時的に低下するのを低減することができる。そのため、受光部の出力信号を用いて、高精度な周波数特性を長期にわたって発揮させることができる。したがって、量子干渉装置の長期周波数安定度を向上させることができる。
【０００９】
本発明の量子干渉装置では、前記検出部は、前記受光部の出力信号が入力される自動利得制御回路を有し、前記自動利得制御回路の増幅率に応じた信号を出力することが好まし。
これにより、比較的簡単な構成で検出部を実現可能である。
【００１０】
本発明の量子干渉装置では、前記原子セルの温度を調節するセル温度調節部と、
前記検出部の出力信号に基づいて、前記セル温度調節部の駆動を制御するセル温度制御部と、を備えることが好ましい。
【００１１】
これにより、原子セル内のアルカリ金属の密度が経時的に低下しても、受光部の出力信号が経時的に低下するのを的確に低減することができる。
【００１２】
本発明の量子干渉装置では、前記受光部の出力信号に基づいて、前記アルカリ金属の原子が有する２つの基底準位間の遷移周波数に応じたマイクロ波信号を生成する信号生成部と、
前記マイクロ波信号に基づく変調電流をバイアス電流に重畳した駆動電流を前記光源部に入力することにより、前記光源部を駆動する駆動回路と、を備えることが好ましい。
【００１３】
これにより、光源部からの光とアルカリ金属原子との相互作用により電磁誘起透過現象を生じさせることができる。そして、ＣＰＴ方式の量子干渉装置（原子発振器）を実現することができる。
【００１４】
本発明の量子干渉装置では、前記マイクロ波信号の振幅を一定にするように増幅して出力する自動利得制御回路を備えることが好ましい。
【００１５】
これにより、受光部の出力信号のうちのマイクロ波信号生成のための信号成分が経時的に低下したり外乱（温度変動等）により変動したりすることも低減することができる。
【００１６】
本発明の量子干渉装置では、前記受光部の出力信号に基づいて、前記バイアス電流の電流値を調整するバイアス電流調整部を備えることが好ましい。
【００１７】
これにより、光源部からの光の中心波長をアルカリ金属の吸収波長となるように制御することができる。また、光源部の温度変化（低下）に伴って、バイアス電流を調整する（増加させる）ことができる。そのため、光源温度制御部による光源温度調節部の駆動制御に伴って、光源部の光量を一定に保つように制御することができる。
【００１８】
本発明の量子干渉装置では、前記信号生成部は、前記受光部の出力信号を第１周期ごとに検波した結果に基づいて、前記マイクロ波信号を生成し、
前記検出部は、前記第１周期とは異なる第２周期で前記経時的変化に応じた信号を出力することが好ましい。
【００１９】
これにより、信号生成部および検出部のそれぞれにおいて高精度な信号の生成が可能となる。
【００２０】
本発明の原子発振器は、本発明の量子干渉装置を備えることを特徴とする。
このような特徴を有する原子発振器によれば、量子干渉装置の優れた効果を享受して、優れた発振特性を発揮させることができる。
【００２１】
本発明の電子機器は、本発明の量子干渉装置を備えることを特徴とする。
このような特徴を有する電子機器によれば、量子干渉装置の優れた効果を享受して、優れた特性を発揮させることができる。
【００２２】
本発明の移動体は、本発明の量子干渉装置を備えることを特徴とする。
このような特徴を有する移動体によれば、量子干渉装置の優れた効果を享受して、優れた特性を発揮させることができる。
【図面の簡単な説明】
【００２３】
【図１】本発明の第１実施形態に係る原子発振器（量子干渉装置の一種）の概略構成を示す模式図である。
【図２】図１に示す原子発振器における各部の信号とＥＩＴ信号との関係を説明するための図（受光部の出力強度と光源部からの光の中心周波数との関係を示すグラフ）である。
【図３】図２中のＡで示す範囲にバイアス調整部の出力信号の周波数帯域があるときの受光部の出力信号を説明するグラフである。
【図４】図２中のＢで示す範囲に信号生成部の出力信号の周波数帯域があるときの受光部の出力信号を説明するグラフである。
【図５】光源部に用いる発光素子の光量（光源光量）の経時的変化を示すグラフである。
【図６】本発明の第２実施形態に係る原子発振器（量子干渉装置の一種）の概略構成を示す模式図である。
【図７】本発明の電子機器の実施形態を示す図である。
【図８】本発明の移動体の実施形態を示す図である。
【発明を実施するための形態】
【００２４】
以下、本発明の量子干渉装置、原子発振器、電子機器および移動体を添付図面に示す好適な実施形態に基づいて詳細に説明する。
【００２５】
１．原子発振器（量子干渉装置）
まず、本発明の原子発振器（本発明の量子干渉装置を備える原子発振器）について説明する。なお、以下では、量子干渉装置の一種（一例）である原子発振器に本発明を適用した場合を例に説明するが、本発明の量子干渉装置は、原子発振器に限定されず、例えば、磁気センサー、量子メモリー等のデバイスにも適用可能である。
【００２６】
＜第１実施形態＞
図１は、本発明の第１実施形態に係る原子発振器（量子干渉装置の一種）の概略構成を示す模式図である。
【００２７】
図１に示す原子発振器１は、アルカリ金属原子に対して特定の異なる波長の２つの共鳴光を同時に照射したときに当該２つの共鳴光がアルカリ金属原子に吸収されずに透過する現象が生じる量子干渉効果（ＣＰＴ：Coherent Population Trapping）を利用した原子発振器である。この量子干渉効果による現象は、電磁誘起透明化（ＥＩＴ：Electromagnetically Induced Transparency）現象とも言う。この原子発振器１は、図１に示すように、パッケージ部１０と、パッケージ部１０に電気的に接続されている回路部２０と、を有する。
【００２８】
パッケージ部１０は、光を出射する光源１２（光源部）と、例えばルビジウム原子やセシウム原子等のアルカリ金属原子が封入された原子セル１１（ガスセル）と、光検出器１３（受光部）と、ペルチェ素子１４（光源温度調節部）と、ヒーター１５（セル温度調節部）と、を有し、これらが、恒温槽として機能するパッケージ（図示せず）内に収納されている。なお、パッケージ部１０が有するパッケージは、光源１２およびペルチェ素子１４を収納するパッケージ（恒温槽）と、原子セル１１、光検出器１３およびヒーター１５を収納するパッケージ（恒温槽）とからなる２つのパッケージに分割されていてもよい。
【００２９】
ここで、光源１２は、バイアス電流に変調電流を重畳した駆動電流により駆動される。そして、光源１２は、バイアス電流の電流値に応じた中心波長の光と、その光の波長に対して両側に変調電流の周波数に応じた波長分だけずれた波長の２つのサイドバンド光（第１光および第２光）とを含む光ＬＬを出射する。光ＬＬは、原子セル１１を通過して、光検出器１３で検出される。また、ペルチェ素子１４は、光源１２を加熱または冷却することで、光源１２の温度を調節する。ヒーター１５は、原子セル１１を加熱することで、原子セル１１の温度を調整する。
【００３０】
回路部２０は、増幅器２１と、バイアス電流調整部２２と、駆動回路２３と、信号生成部２４と、自動利得制御回路２５（ＡＧＣ：自動利得制御アンプ）と、検出部２６と、温度制御部２７（光源温度制御部）と、温度制御部２８（セル温度制御部）と、を有し、これらがパッケージ部１０のパッケージの外部に設けられている。なお、回路部２０の少なくとも一部がパッケージ部１０のパッケージ内に収納されていてもよい。
【００３１】
ここで、駆動回路２３は、光源１２に、バイアス電流に変調電流を重畳した駆動電流を供給する。バイアス電流調整部２２は、光検出器１３の検出結果に基づいて、駆動回路２３のバイアス電流の電流値を調整する。信号生成部２４は、光検出器１３の検出結果に基づいて、原子セル１１内のアルカリ金属原子の２つの基底準位間の遷移周波数に応じたマイクロ波信号を生成する。この信号生成部２４は、電圧制御型水晶発振器２４３（ＶＣＸＯ）を有しており、前述した２つのサイドバンド光および原子セル１１内のアルカリ金属原子によるＥＩＴ現象が生じるように、変調電流として用いるマイクロ波信号の周波数を調整するとともに、電圧制御型水晶発振器２４３（ＶＣＸＯ）の出力信号を所定の周波数で安定させ、その出力信号を原子発振器１のクロック信号として出力する。自動利得制御回路２５は、信号生成部２４からの変調電流（マイクロ波信号）の振幅を調整して駆動回路２３に入力する。
【００３２】
また、温度制御部２７（光源温度制御部）は、ペルチェ素子１４の駆動を制御する。温度制御部２８は、ヒーター１５（セル温度調節部）の駆動を制御する。特に、温度制御部２７（光源温度制御部）は、検出部２６の出力信号に基づいて、ペルチェ素子１４の駆動を制御する。検出部２６は、光検出器１３の出力信号に基づいて、原子セル１１内のアルカリ金属の光吸収特性の経時的変化に応じた信号を出力する。
【００３３】
以下、原子発振器１の各部を順次説明する。
〈パッケージ部〉
図１に示すパッケージ部１０は、前述したように、光源１２（光源部）と、原子セル１１（ガスセル）と、光検出器１３（受光部）と、ペルチェ素子１４（光源温度調節部）と、ヒーター１５（セル温度調節部）と、を有する。
【００３４】
（光源部）
光源１２は、バイアス電流に変調電流を重畳した駆動電流の供給を受けて、前述したような２つのサイドバンド光を互いに周波数（波長）の異なる第１光および第２光として出射する機能を有する。この光源１２としては、前述した機能を有する光源であればよく、特に限定されないが、例えば、垂直共振器面発光レーザー（ＶＣＳＥＬ：Vertical Cavity Surface Emitting Laser）等の半導体レーザー等が挙げられる。
【００３５】
（原子セル）
原子セル１１内には、ガス状のルビジウム、セシウム、ナトリウム等のアルカリ金属（アルカリ金属原子）が封入されている。また、原子セル１１内には、必要に応じて、アルゴン、ネオン等の希ガス、窒素等の不活性ガスが緩衝ガスとしてガス状のアルカリ金属とともに封入されていてもよい。なお、原子セル１１内には、気体状のアルカリ金属と、液体または固体状のアルカリ金属とが平衡状態を保って存在している。そして、気体状のアルカリ金属が以下のようにして電磁誘起透過現象に供される。
【００３６】
アルカリ金属原子は、互いに異なる２つの基底準位（第１基底準位および第２基底準位）と、励起準位とからなる３準位系のエネルギー準位を有する。第１基底準位は、第２基底準位よりも低いエネルギー準位である。ここで、第１基底準位と励起準位とのエネルギー差に相当する周波数ω１を有する共鳴光（第１共鳴光）、および、第２基底準位と励起準位とのエネルギー差に相当する周波数ω２を有する共鳴光（第２共鳴光）を、それぞれ単独でアルカリ金属原子に照射すると光吸収が起きる。これに対し、第１共鳴光および第２共鳴光（共鳴光対）を同時に照射すると、第１共鳴光および第２共鳴光の双方がアルカリ金属原子に吸収されずに透過する電磁誘起透過（ＥＩＴ）現象が生じる。
【００３７】
このＥＩＴ現象は、第１共鳴光および第２共鳴光をアルカリ金属原子に同時に照射し、第１共鳴光の周波数ω１と第２共鳴光の周波数ω２との周波数差（ω１−ω２）が、第１基底準位と第２基底準位とのエネルギー差ΔＥに相当する周波数ω０に一致したときに起きる。したがって、周波数差（ω１−ω２）に応じて第１共鳴光および第２共鳴光のアルカリ金属原子における光吸収率（光透過率）は変化し、周波数差（ω１−ω２）が周波数ω０に一致したときにＥＩＴ現象が起き、アルカリ金属原子を透過した第１共鳴光および第２共鳴光の強度が急峻に上昇する。このようなＥＩＴ現象に伴って発生する急峻な信号をＥＩＴ信号と呼ぶ。このＥＩＴ信号は、アルカリ金属原子の種類によって決まった固有値をもっている。それゆえ、このようなＥＩＴ信号を基準として用いることにより、高精度な発振器を構成することができる。
【００３８】
例えば、アルカリ金属原子がセシウム原子である場合、エネルギー差ΔＥに相当する周波数ω０は９．１９２６ＧＨｚであるので、セシウム原子に、周波数差（ω１−ω２）が９．１９２６ＧＨｚである２種類の光を同時に照射すると、ＥＩＴ信号が検出される。
【００３９】
このような原子セル１１の近傍には、例えば、通電によりアルカリ金属に磁場を印加するコイル等を有する磁場発生部（図示せず）が設けられている。この磁場発生部からの磁場によって、アルカリ金属原子の縮退している異なる複数のエネルギー準位間のギャップをゼーマン分裂により拡げて、分解能を向上させることができる。その結果、原子発振器１の発振周波数の精度を高めることができる。
【００４０】
また、上述した光源１２と原子セル１１との間には、波長板、減光フィルター、レンズ、偏光板等の光学部品が配置されていてもよい。
【００４１】
（受光部）
光検出器１３は、原子セル１１内を透過した光（第１光および第２光）を受光して検出し、検出した光の強度に応じた検出信号を出力する機能を有する。この光検出器１３としては、前述した光の強度を検出し得るものであれば、特に限定されないが、例えば、フォトダイオード等の光検出器（受光素子）が挙げられる。
【００４２】
（ペルチェ素子）
ペルチェ素子１４は、図示しないが、光源１２に熱的に接続されており、光源１２の温度を調節する機能を有する。特に、ペルチェ素子１４は、供給される電流の向きにより、光源１２を加熱したり冷却したりする機能を有する。これにより、環境温度の範囲が広くても、光源１２を所望の温度（目標温度）に温度調節することができる。なお、ペルチェ素子１４に代えてヒーターを用いてもよく、この場合、当該ヒーターにより原子セル１１を加熱してもよく、ヒーター１５を省略することができる。
【００４３】
（ヒーター）
ヒーター１５は、図示しないが、例えば、前述した原子セル１１上に配置されているか、または、金属等の熱伝導性部材を介して原子セル１１に接続されている。このヒーター１５は、例えば、発熱抵抗体を有して構成され、原子セル１１（より具体的には原子セル１１内のアルカリ金属）を加熱する機能を有する。これにより、原子セル１１中のアルカリ金属をガス状に維持することができる。
【００４４】
〈回路部〉
回路部２０は、前述したように、増幅器２１と、バイアス電流調整部２２と、駆動回路２３と、信号生成部２４と、自動利得制御回路２５（ＡＧＣ：自動利得制御アンプ）と、検出部２６と、温度制御部２７（光源温度制御部）と、温度制御部２８（セル温度制御部）と、を有する。
【００４５】
（増幅器）
増幅器２１は、光検出器１３の出力信号を増幅するとともに電圧信号に変換して出力する。増幅器２１の出力信号は、バイアス電流調整部２２、信号生成部２４および検出部２６のそれぞれに入力される。
【００４６】
（バイアス電流調整部）
バイアス電流調整部２２は、位相検波器２２１と、ローパスフィルター２２２（ＬＰＦ）と、変調回路２２３と、低周波発振器２２４と、を有する。位相検波器２２１は、数Ｈｚ〜数百Ｈｚ程度の低い周波数ｆ１で発振する低周波発振器２２４の出力信号を用いてその周期で（第４周期ごとに）増幅器２１の出力信号を同期検波する。位相検波器２２１の出力信号は、ローパスフィルター２２２に入力される。ローパスフィルター２２２は、積分回路であって、位相検波器２２１の出力信号の交流成分を除去した電圧信号を出力する。変調回路２２３は、位相検波器２２１による検波を可能とするために、低周波発振器２２４の出力信号（発振信号）を変調信号としてローパスフィルター２２２の出力信号を変調する。
【００４７】
（駆動回路）
駆動回路２３は、変調回路２２３の出力信号に応じてバイアス電流を微調整して、光源１２に供給するバイアス電流を設定する（光源１２から出射する光の中心波長を設定する）。このように、光源１２、原子セル１１、光検出器１３、位相検波器２２１、ローパスフィルター２２２、変調回路２２３および駆動回路２３を通るフィードバックループにより、光源１２が出射する光の中心波長が制御（微調整）されて安定する。ここで、バイアス電流調整部２２は、駆動回路２３で設定されるバイアス電流の電流値を、低周波発振器２２４の発振周波数に対応した周期（第４周期）ごとに調整する。この調整の周期（第４周期）は、後述する信号生成部２４での検波周期（第１周期）よりも長い。なお、このフィードバックループは、アナログ処理で行ってもよいし、デジタル処理で行ってもよい。
【００４８】
また、駆動回路２３は、前述したように微調整したバイアス電流に、後述する自動利得制御回路２５からの変調電流を重畳して光源１２に供給する。この変調電流により、光源１２から出射される光に周波数変調がかかると、バイアス電流に応じた中心周波数の光とともに、その両側にそれぞれ変調電流の周波数ずつずれた周波数の複数組の光がサイドバンド光として発生する。
【００４９】
（信号生成部）
信号生成部２４は、位相検波器２４１と、ローパスフィルター２４２（ＬＰＦ）と、電圧制御型水晶発振器２４３（ＶＣＸＯ：Voltage Controlled Crystal Oscillators）と、変調回路２４４、低周波発振器２４５と、位相同期回路２４６（ＰＬＬ：phase locked loop）と、を有する。位相検波器２４１は、数Ｈｚ〜数百Ｈｚ程度の低い周波数ｆ２で発振する低周波発振器２４５の出力信号を用いてその周期で（第１周期ごとに）増幅器２１の出力信号を同期検波する。位相検波器２４１の出力信号は、ローパスフィルター２４２に入力される。ローパスフィルター２４２は、積分回路であって、位相検波器２４１の出力信号の交流成分を除去した電圧信号を出力する。そして、電圧制御型水晶発振器２４３（ＶＣＸＯ）は、ローパスフィルター２４２の出力信号の大きさに応じて、電圧制御型水晶発振器２４３（ＶＣＸＯ）の発振周波数が微調整される。電圧制御型水晶発振器２４３（ＶＣＸＯ）は、例えば、数十Ｈｚ〜数百Ｈｚ程度の低い周波数で発振する。
【００５０】
変調回路２４４は、位相検波器２４１による検波を可能とするために、低周波発振器２４５の発振信号を変調信号として電圧制御型水晶発振器２４３（ＶＣＸＯ）の出力信号を変調する。
【００５１】
位相同期回路２４６は、一定の周波数変換率（逓倍比）で変調回路２４４の出力信号を変換して出力する。これにより、位相同期回路２４６は、変調回路２４４の出力を逓倍して変調電流をマイクロ波信号として生成する。例えば、位相同期回路２４６は、原子セル１１に封入された磁気量子数ｍ＝０のアルカリ金属原子の２つの基底準位のエネルギー差に相当する周波数差の１／２（セシウム原子の場合は９．１９２６ＧＨｚ／２＝４．５９６３ＧＨｚ）に等しい周波数の信号に変換する。なお、位相同期回路２４６は、変調回路２４４の出力信号を、原子セル１１に封入された磁気量子数ｍ＝０のアルカリ金属原子の２つの基底準位のエネルギー差に相当する周波数差（セシウム原子の場合は９．１９２６ＧＨｚ）に等しい周波数の信号に変換するようにしてもよい。
【００５２】
（自動利得制御回路）
自動利得制御回路２５は、位相同期回路２４６からの信号（変調電流）の振幅が一定となるように、自動的に増幅率（利得）を調整する増幅回路（増幅器）である。すなわち、自動利得制御回路２５は、位相同期回路２４６からの変調電流を増幅する増幅機能と、位相同期回路２４６からの変調電流の振幅が予め設定された一定の振幅となるように増幅機能の増幅率を調整する自動利得制御機能と、を有する。これにより、原子発振器１の設置環境（例えば、温度、磁場等）が変動しても、その変動に起因する変調電流の振幅変動を除去して、予め設定された一定振幅の変調電流を得ることができる。特に、自動利得制御回路２５は、位相同期回路２４６からのマイクロ波信号の振幅を信号生成部２４での検波周期よりも長い周期ごとに調整する。
【００５３】
この自動利得制御回路２５は、増幅器２５１と、レベル検出器２５２と、フィルター２５３と、を有する。増幅器２５１は、位相同期回路２４６からの変調電流を増幅して出力する機能を有し、その増幅率がフィルター２５３からの信号に応じて調整される。また、増幅器２５１から出力される変調電流は、駆動回路２３およびレベル検出器２５２のそれぞれに入力される。レベル検出器２５２は、増幅器２５１からの変調電流の出力レベルを所定の周期（例えば、１秒〜１００００秒）で検出し、その検出結果に応じた信号を出力する。レベル検出器２５２からの信号は、レベル検出器２５２の検出周期に対応した帯域を有するフィルター２５３を介して増幅器２５１に入力される。そして、前述したように、増幅器２５１の増幅率がレベル検出器２５２からの信号に応じて調整される。なお、自動利得制御回路２５の構成は、図示の構成に限定されず、例えば、レベル検出器２５２とフィルター２５３との間にバッファー回路を設けてもよい。
【００５４】
このような自動利得制御回路２５の出力信号は、前述した自動利得制御機能により振幅の変動が低減されており、変調周波数ｆｍの電流（変調電流）として駆動回路２３に入力される。このように、光源１２、原子セル１１、光検出器１３、位相検波器２４１、ローパスフィルター２４２、電圧制御型水晶発振器２４３、変調回路２４４、位相同期回路２４６、自動利得制御回路２５および駆動回路２３を通るフィードバックループにより、光源１２が出射する１組のサイドバンド光が、アルカリ金属原子にＥＩＴ現象を発生させる共鳴光対になるように制御（微調整）される。
【００５５】
上述したように、ＥＩＴ現象に伴って発生する急峻な信号であるＥＩＴ信号を光検出器１３で検出し、そのＥＩＴ信号を基準信号として利用して、電圧制御型水晶発振器２４３の出力信号を所定の周波数で安定させる。そして、電圧制御型水晶発振器２４３の出力信号は、外部に出力される。その際、電圧制御型水晶発振器２４３の出力信号は、必要に応じて、例えばＤＤＳ（Direct Digital Synthesizer）等の周波数変換回路（図示せず）によって所定の周波数変換率で所望の周波数に周波数変換してもよい。
【００５６】
（検出部）
検出部２６は、光検出器１３の出力信号（本実施形態では増幅器２１によって増幅された出力信号）に基づいて、原子セル１１を透過する光ＬＬの量の経時的変化に応じた信号を出力する機能を有する。この検出部２６は、自動利得制御回路と同様の回路構成を有する。すなわち、図１に示すように、検出部２６は、増幅器２６１と、レベル検出器２６２と、フィルター２６３と、を有する。ただし、この検出部２６は、前述した自動利得回路２５と異なり、増幅器２６１の出力信号を検出部２６の出力信号として用いるのではなく、フィルター２６３の出力信号（増幅器２６１の増幅率に応じた信号）を検出部２６の出力信号として用いる。
【００５７】
増幅器２６１は、増幅率が可変である増幅器であって、増幅器２１の出力信号を増幅して出力する機能を有し、その増幅率がフィルター２６３からの信号に応じて調整される。また、増幅器２６１から出力される信号は、レベル検出器２６２に入力される。レベル検出器２６２は、増幅器２６１からの信号の出力レベルを所定の周期（例えば、１秒〜１００００秒）で検出し、その検出結果に応じた信号を出力する。レベル検出器２６２からの信号は、レベル検出器２６２の検出周期に対応した帯域を有するフィルター２６３を介して増幅器２６１に入力される。そして、前述したように、増幅器２６１の増幅率がレベル検出器２６２からの信号に応じて調整される。ここで、前述したレベル検出器２６２の検出の周期およびフィルター２６３の帯域を適宜設定することで、増幅器２６１の出力信号から不要な周波数成分を除去することができ、その結果、増幅器２１の出力信号の外乱（温度変動等）による短期的な振幅変動が検出部２６の検出結果に与える影響を低減することが可能である。なお、検出部２６の構成は、前述した機能を発揮することができれば、図示の構成に限定されず、例えば、レベル検出器２６２とフィルター２６３との間にバッファー回路を設けてもよい。
【００５８】
（光源温度制御部）
温度制御部２７は、光源１２の温度を検出する温度センサー（図示せず）の検出結果に基づいて、光源１２の温度が目標温度となるように、ペルチェ素子１４の駆動を制御する機能を有する。これにより、温度変動による光源１２の出力変動を低減することができる。
【００５９】
特に、温度制御部２７は、検出部２６の出力信号（すなわち、増幅器２６１の増幅率に応じた信号）に基づいて、目標温度を調整するように構成されている。すなわち、温度制御部２７は、検出部２６の出力信号に基づいて、ペルチェ素子１４（光源温度調節部）の駆動を制御するように構成されている。例えば、温度制御部２７は、増幅器２６１の増幅率が所定値以上となるごとに目標温度を所定温度ずつ低くする。これにより、原子セル１１内のアルカリ金属の密度および光源１２の光量の少なくとも一方が経時的に低下しても、光検出器１３の出力信号が経時的に低下するのを低減することができる。ここで、具体的な目標温度は、光源１２の特性、原子セル１１の特性等の諸条件応じて適宜設定されるものであり、特に限定されないが、例えば、３０℃以上４０℃以下程度の範囲またはこの範囲内の所定温度とされる。
【００６０】
（セル温度制御部）
温度制御部２８は、原子セル１１の温度を検出する温度センサー（図示せず）の検出結果に基づいて、ヒーター１５の温度が目標温度（６０°程度）となるように、ヒーター１５の駆動を制御する機能を有する。これにより、原子セル１１中のアルカリ金属を適切な濃度のガス状に維持することができる。このヒーター１５は、特に限定されないが、例えば、通電により発熱する発熱抵抗体を含んで構成され、原子セル１１に対して接触してまたは他の部材を介して非接触で設けられている。
【００６１】
以上説明したように、原子発振器１では、光検出器１３の検出結果に基づいて、バイアス電流調整部２２が駆動回路２３のバイアス電流の電流値を調整するとともに、信号生成部２４が駆動回路２３の変調電流の周波数を調整する。自動利得制御回路２５は、信号生成部２４からの変調電流の電流値（レベル）を調整して駆動回路２３に入力する。また、信号生成部２４は、前述した２つのサイドバンド光および原子セル１１内のアルカリ金属原子によるＥＩＴ現象が生じるように、電圧制御型水晶発振器２４３（ＶＣＸＯ）の出力信号を所定の周波数で安定させ、その出力信号を原子発振器１のクロック信号として出力する。
【００６２】
ここで、温度制御部２７が光源１２の温度がその目標温度となるようにペルチェ素子１４の駆動を制御するとともに、温度制御部２８が原子セル１１の温度がその目標温度となるようにヒーター１５の駆動を制御する。
【００６３】
特に、原子発振器１では、原子セル１１および光源１２の経時的劣化による光検出器１３の出力低下を低減するべく、検出部２６がその出力低下を検出し、この出力低下に相当する分を補うべく、温度制御部２７が検出部２６の検出結果に基づいてペルチェ素子１４の駆動を制御する。これにより、原子発振器１の長期周波数安定度を向上させることができる。以下、この点について詳述する。
【００６４】
（長期周波数安定度の向上）
原子発振器１では、バイアス電流の電流値は、バイアス電流調整部２２の低周波発振器２２４の発振周波数である周波数ｆ１で変化している。このようなバイアス電流の電流値の変化に伴って、光ＬＬの中心周波数も、周波数ｆ１で変化している。また、変調電流（マイクロ波信号）の電流値（振幅）は、信号生成部２４の低周波発振器２４５の発振周波数である周波数ｆ２で変化している。このような変調電流の変化に伴って、光ＬＬの２つのサイドバンド光の周波数も、周波数ｆ２で変化している。
【００６５】
このような光ＬＬは、原子セル１１を通過し、光検出器１３で検出される。ここで、光検出器１３の出力信号（電流信号）には、光ＬＬの中心周波数の光と原子セル１１内のアルカリ金属との相互作用による光吸収特性が周波数ｆ１に同期して現れるとともに、光ＬＬの２つのサイドバンド光と原子セル１１内のアルカリ金属との相互作用による光吸収特性が周波数ｆ２に同期して現れる。そのため、前述したように、バイアス電流調整部２２では、光検出器１３の出力信号を周波数ｆ１で検波し、その検波結果を用いて、バイアス電流を調整する。また、信号生成部２４では、光検出器１３の出力信号を周波数ｆ２で検波し、その検波結果を用いて、マイクロ波信号を生成する。
【００６６】
図２は、図１に示す原子発振器における各部の信号とＥＩＴ信号との関係を説明するための図、すなわち、受光部の出力強度（出力強度）と光源部からの光の中心周波数との関係を示すグラフである。図３は、図２中のＡで示す範囲にバイアス調整部の出力信号の周波数帯域があるときの受光部の出力信号（検出強度）を説明するグラフである。図４は、図２中のＢで示す範囲に信号生成部の出力信号の周波数帯域があるときの受光部の出力信号（検出強度）を説明するグラフである。
【００６７】
光ＬＬの中心周波数が周波数ｆ１で変化する範囲（光ＬＬの中心周波数の掃引範囲）が図２中に示す範囲Ａであり、かつ、その範囲の中心周波数が原子セル１１内のアルカリ金属の原子の吸収スペクトルのボトム（周波数ｆ０）に一致するとき、位相検波器２２１の出力信号は、図３に示すように、周波数ｆ１の２倍の周波数（周期Ｔ１）の波形となる。これに対し、光ＬＬの中心周波数の掃引範囲の中心周波数が原子セル１１内のアルカリ金属の原子の吸収スペクトルのボトムからずれると、位相検波器２２１の出力信号に周波数ｆ１の周波数成分が現れ、そのずれ量が増すにしたがって、周波数ｆ１の周波数成分が増加する。また、そのずれの方向によって、位相検波器２２１の出力信号の位相が１８０°異なる。このような位相検波器２２１の出力信号は、ローパスフィルター２２２で積分されることによって、前述したずれ量に応じた電圧値の誤差信号（以下、「第１誤差信号」という）となる。このような第１誤差信号を用いることで、光ＬＬの中心周波数の掃引範囲の中心周波数が原子セル１１内のアルカリ金属の原子の吸収スペクトルのボトムに一致した状態で安定化するように制御することができる。
【００６８】
また、光ＬＬの２つのサイドバンド光の周波数差（変調電流の周波数）が周波数ｆ２で変化する範囲（光ＬＬの２つサイドバンド光の周波数差の掃引範囲）が図２中に示す範囲Ｂであり、かつ、その範囲の中心周波数が原子セル１１内のアルカリ金属の原子のＥＩＴスペクトルのピーク（周波数ｆ０）に一致するとき、位相検波器２４１の出力信号は、図４に示すように、周波数ｆ２の２倍の周波数（周期Ｔ２）の波形となる。これに対し、光ＬＬの２つのサイドバンド光の周波数差の掃引範囲の中心周波数が原子セル１１内のアルカリ金属の原子のＥＩＴスペクトルのピークからずれると、位相検波器２４１の出力信号に周波数ｆ２の周波数成分が現れ、そのずれ量が増すにしたがって、周波数ｆ２の周波数成分が増加する。また、そのずれの方向によって、位相検波器２４１の出力信号の位相が１８０°異なる。このような位相検波器２４１の出力信号は、ローパスフィルター２４２で積分されることによって、前述したずれ量に応じた電圧値の誤差信号（以下、「第２誤差信号」という）となる。このような第２誤差信号を用いることで、光ＬＬの２つのサイドバンド光の周波数差の掃引範囲の中心周波数が原子セル１１内のアルカリ金属の原子のＥＩＴスペクトルのピークに一致した状態で安定化するように制御することができる。
【００６９】
図５は、光源部（光源１２）に用いる発光素子の光量（光源光量）の経時的変化を示すグラフである。
【００７０】
光源１２に用いる発光素子は、使用時間が長くなるに従い、劣化が進行する。そのため、発光素子に供給されるバイアス電流が一定である場合、当該発光素子の光量は、図５中に実線Ｃで示すように、経時的に減少し、光検出器１２で検出される信号レベルの低下をもたらす。また、原子セル１１内のアルカリ金属は、使用時間が長くなるに従い、原子セル１１の壁面に吸収される。そのため、発光素子の光量が一定であっても、原子セル１１内のアルカリ金属の原子密度が経時的に減少し、光検出器１３で検出される信号レベルの低下をもたらす。
【００７１】
仮に光源１２に供給されるバイス電流が一定であると、前述したような光源１２の光量低下および原子セル１１内のアルカリ金属の原子密度の低下に伴って、前述した図３に示す信号の強度Ｉ１が低下し、原子発振器１の長期周波数安定度が低下してしまう。
【００７２】
そこで、原子発振器１では、前述したように、原子セル１１および光源１２の経時的劣化による光検出器１３の出力低下を低減するべく、検出部２６がその出力低下を検出し、この出力低下に相当する分を補うべく、温度制御部２７が検出部２６の検出結果に基づいてペルチェ素子１４の駆動を制御する。より具体的には、前述した検出部２６のフィルター２６３からの信号（すなわち増幅器２６１の増幅率に応じた信号）に基づいて、原子セル１１および光源１２の経時的劣化により光検出器１３の出力が低下するに従い、光源１２の温度が低くなるようにペルチェ素子１４の駆動を制御する。
【００７３】
ここで、光源１２に用いる発光素子は、バイアス電流が大きくなるにしたがって、出射する光の強度（光量）が高くなるとともに、出射する光の中心周波数が低くなる（波長が長くなる）特性と、温度が低くなるにしたがって、出射する光の中心周波数が高くなる（波長が短くなる）特性と、を有する。
【００７４】
そのため、光源１２の温度が低くなると、光源１２から出射される光ＬＬの中心周波数が高くなろうとする。そうすると、前述したバイアス電流調整部２２の制御により、光ＬＬの中心周波数が高くならないように、バイアス電流が大きくなる。その結果、図５中の破線Ｄで示すように、光源１２の光量が一定に保たれるように制御され、図３に示す信号の強度Ｉ１が経時的に低下することを低減することができる。このように、光ＬＬの中心周波数を安定化しつつ、図３に示す信号の強度Ｉ１が経時的に低下することを低減することができる。
【００７５】
また、原子発振器１では、前述したように、自動利得制御回路２５が信号生成部２４の出力信号（マイクロ波信号）の振幅を一定となるように制御する。これにより、前述した図４に示す信号の強度Ｉ２（マイクロ波信号の生成のための信号成分）が経時的に低下したり外乱（温度変動等）により変動したりすることも低減することができる。
【００７６】
以上のように、「量子干渉装置」の一種である原子発振器１は、アルカリ金属が封入されている原子セル１１と、原子セル１１内のアルカリ金属を励起する光ＬＬを出射する「光源部」である光源１２と、光源１２の温度を調節する「光源温度調節部」であるペルチェ素子１４と、原子セル１１を透過した光ＬＬを受光し、その受光強度に応じた信号を出力する「受光部」である光検出器１３と、を備える。特に、原子発振器１は、光検出器１３の出力信号に基づいて、原子セル１１を透過する光ＬＬの量の経時的変化に応じた信号を出力する検出部２６と、検出部２６の出力信号に基づいて、ペルチェ素子１４の駆動を制御する「光源温度制御部」である温度制御部２７と、を備える。
【００７７】
このような原子発振器１によれば、原子セル１１を透過する光ＬＬの量の経時的変化に応じた信号に基づいて、ペルチェ素子１４の駆動を制御するため、原子セル１１内のアルカリ金属の密度および光源１２の光量の少なくとも一方が経時的に低下しても、これが原因で光検出器１３の出力信号が経時的に低下するのを低減することができる。そのため、光検出器１３の出力信号を用いて、高精度な周波数特性を長期にわたって発揮させることができる。したがって、原子発振器１の長期周波数安定度を向上させることができる。
【００７８】
なお、量子干渉装置の一種（一例）である原子発振器１は、量子干渉装置を備えていると言える。そして、原子発振器１は、量子干渉装置の優れた効果を享受して、優れた発振特性を発揮させることができる。
【００７９】
ここで、検出部２６は、前述したように、増幅器２６１、レベル検出器２６２およびフィルター２６３を有し、自動利得制御回路と同様の構成を有し、フィルター２６３からの信号を温度制御部２７へ出力する。すなわち、検出部２６は、光検出器１３（受光部）の出力信号が入力される自動利得制御回路を有し、その自動利得制御回路の増幅率に応じた信号を出力すると言える。これにより、比較的簡単な構成で検出部２６の前述した機能を実現可能である。
【００８０】
また、原子発振器１（量子干渉装置）は、光検出器１３（受光部）の出力信号に基づいて、原子セル１１内のアルカリ金属の原子が有する２つの基底準位間の遷移周波数に応じたマイクロ波信号を生成する信号生成部２４と、そのマイクロ波信号に基づく変調電流をバイアス電流に重畳した駆動電流を光源１２（光源部）に入力することにより、光源１２を駆動する駆動回路２３と、を備える。これにより、光源１２からの光ＬＬとアルカリ金属原子との相互作用により電磁誘起透過現象を生じさせることができる。そして、ＣＰＴ方式の量子干渉装置（原子発振器１）を実現することができる。
【００８１】
さらに、原子発振器１（量子干渉装置）は、光検出器１３（受光部）の出力信号に基づいて、光源１２に供給するバイアス電流の電流値を調整するバイアス電流調整部２２を備える。これにより、光源１２からの光ＬＬの中心波長をアルカリ金属の吸収波長となるように制御することができる。また、光源１２の温度変化（低下）に伴って、バイアス電流を調整する（増加させる）ことができる。そのため、温度制御部２７によるペルチェ素子１４の駆動制御に伴って、光源１２の光量を一定に保つように制御することができる。
【００８２】
また、信号生成部２４は、光検出器１３（受光部）の出力信号を第１周期ごとに検波した結果に基づいて、マイクロ波信号を生成し、一方、検出部２６は、第１周期とは異なる第２周期で、原子セル１１を透過する光ＬＬの量の経時的変化に応じた信号を出力することが好ましい。これにより、信号生成部２４および検出部２６のそれぞれにおいて高精度な信号の生成が可能となる。
【００８３】
＜第２実施形態＞
次に、本発明の第２実施形態について説明する。
【００８４】
図６は、本発明の第２実施形態に係る原子発振器（量子干渉装置の一種）の概略構成を示す模式図である。
【００８５】
本実施形態は、原子セルを加熱するヒーターの駆動制御方法が異なる以外は、前述した第１実施形態と同様である。
【００８６】
なお、以下の説明では、第２実施形態に関し、第１実施形態との相違点を中心に説明し、同様の事項に関してはその説明を省略する。また、図６において、前述した実施形態と同様の構成については、同一符号を付している。
【００８７】
図６に示す原子発振器１Ａは、図６に示すように、前述した第１実施形態の回路部２０に代えて、回路部２０Ａを備える以外は、前述した第１実施形態の原子発振器１と同様である。回路部２０Ａは、前述した第１実施形態の温度制御部２８に代えて、温度制御部２８Ａを備える以外は、前述した第１実施形態の回路部２０と同様である。
【００８８】
温度制御部２８Ａは、検出部２６の出力信号に基づいて、ヒーター１５の駆動を制御する。より具体的には、光検出器１３の出力信号が低下するにしたがって、原子セル１１の温度を高くするようにヒーター１５の駆動を制御する。これにより、原子セル１１内の気体状のアルカリ金属の密度の低下を低減することができる。ここで、例えば、光検出器１３の出力信号が低下するにしたがって、温度制御部２８Ａにおけるヒーター１５の駆動制御の目標温度を高くする。その際、この目標温度は、６０°近傍の温度範囲内の温度であるが、温度制御部２８Ａは、目標温度の上限値をあらかじめ設定しておき、その上限値を超えないようにしてもよい。
【００８９】
このように、「量子干渉装置」の一種である原子発振器１Ａは、原子セル１１の温度を調節する「セル温度調節部」であるヒーター１５と、検出部２６の出力信号に基づいて、ヒーター１５の駆動を制御する「セル温度制御部」である温度制御部２８Ａと、を備える。これにより、原子セル１１内のアルカリ金属の密度が経時的に低下しても、その低下を低減し、光検出器１３の出力信号が経時的に低下するのを的確に低減することができる。
【００９０】
以上説明したような第２実施形態によっても、長期周波数安定度を向上させることができる。
【００９１】
２．電子機器
以下、本発明の電子機器について説明する。
【００９２】
図７は、本発明の電子機器の実施形態を示す図である。
図７に示す測位システム１００（電子機器）は、ＧＰＳ衛星２００と、基地局装置３００と、ＧＰＳ受信装置４００とで構成されている。
ＧＰＳ衛星２００は、測位情報（ＧＰＳ信号）を送信する。
【００９３】
基地局装置３００は、例えば電子基準点（ＧＰＳ連続観測局）に設置されたアンテナ３０１を介してＧＰＳ衛星２００からの測位情報を高精度に受信する受信装置３０２と、この受信装置３０２で受信した測位情報をアンテナ３０３を介して送信する送信装置３０４とを備える。
【００９４】
ここで、受信装置３０２は、その基準周波数発振源として前述した本発明の原子発振器１を備える電子装置である。このような受信装置３０２は、優れた信頼性を有する。また、受信装置３０２で受信された測位情報は、リアルタイムで送信装置３０４により送信される。
【００９５】
ＧＰＳ受信装置４００は、ＧＰＳ衛星２００からの測位情報をアンテナ４０１を介して受信する衛星受信部４０２と、基地局装置３００からの測位情報をアンテナ４０３を介して受信する基地局受信部４０４とを備える。
【００９６】
以上説明した測位システム１００が備える「電子機器」である受信装置３０２は、「量子干渉装置」の一種である原子発振器１を備える。そのため、受信装置３０２は、原子発振器１の優れた効果を享受して、優れた特性を発揮させることができる。なお、受信装置３０２は、原子発振器１に代えて、または、原子発振器１に加えて、原子発振器１Ａを備えていてもよい。
【００９７】
なお、本発明の原子発振器を備える電子機器は、前述したものに限定されず、例えば、スマートフォン、タブレット端末、時計、携帯電話機、ディジタルスチルカメラ、インクジェット式吐出装置（例えばインクジェットプリンター）、パーソナルコンピューター（モバイル型パーソナルコンピューター、ラップトップ型パーソナルコンピューター）、テレビ、ビデオカメラ、ビデオテープレコーダー、カーナビゲーション装置、ページャー、電子手帳（通信機能付も含む）、電子辞書、電卓、電子ゲーム機器、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター、地上デジタル放送、携帯電話基地局等に適用することができる。
【００９８】
３．移動体
図８は、本発明の移動体の実施形態を示す図である。
【００９９】
この図において、移動体１５００は、車体１５０１と、４つの車輪１５０２とを有しており、車体１５０１に設けられた図示しない動力源（エンジン）によって車輪１５０２を回転させるように構成されている。このような移動体１５００には、原子発振器１が内蔵されている。
【０１００】
以上説明した移動体１５００は、「量子干渉装置」の一種である原子発振器１を備える。そのため、移動体１５００は、原子発振器１の優れた効果を享受して、優れた特性を発揮させることができる。なお、移動体１５００は、原子発振器１に代えて、または、原子発振器１に加えて、原子発振器１Ａを備えていてもよい。
【０１０１】
以上、本発明の量子干渉装置、原子発振器、電子機器および移動体について、図示の実施形態に基づいて説明したが、本発明は、これらに限定されるものではない。
【０１０２】
また、本発明の量子干渉装置、原子発振器、電子機器および移動体は、各部の構成は、同様の機能を発揮する任意の構成のものに置換することができ、また、任意の構成を付加することもできる。
【符号の説明】
【０１０３】
１…原子発振器、１Ａ…原子発振器、１０…パッケージ部、１１…原子セル、１２…光源（光源部）、１３…光検出器（受光部）、１４…ペルチェ素子（光源温度調節部）、１５…ヒーター（セル温度調節部）、２０…回路部、２０Ａ…回路部、２１…増幅器、２２…バイアス電流調整部、２３…駆動回路、２４…信号生成部、２５…自動利得制御回路、２６…検出部、２７…温度制御部（光源温度制御部）、２８…温度制御部、２８Ａ…温度制御部（セル温度制御部）、１００…測位システム、２００…ＧＰＳ衛星、２２１…位相検波器、２２２…ローパスフィルター、２２３…変調回路、２２４…低周波発振器、２４１…位相検波器、２４２…ローパスフィルター、２４３…電圧制御型水晶発振器、２４４…変調回路、２４５…低周波発振器、２４６…位相同期回路、２６１…増幅器、２６２…レベル検出器、２６３…フィルター、３００…基地局装置、３０１…アンテナ、３０２…受信装置、３０３…アンテナ、３０４…送信装置、４００…ＧＰＳ受信装置、４０１…アンテナ、４０２…衛星受信部、４０３…アンテナ、４０４…基地局受信部、１５００…移動体、１５０１…車体、１５０２…車輪、Ａ…範囲、Ｂ…範囲、Ｃ…実線、Ｄ…破線、Ｉ１…強度、Ｉ２…強度、ＬＬ…光、Ｔ１…周期、Ｔ２…周期、ｆ０…周波数、ｆ１…周波数、ｆ２…周波数
【図１】
2018101886.tif 000003
【図２】
2018101886.tif 000004
【図３】
2018101886.tif 000005
【図４】
2018101886.tif 000006
【図５】
2018101886.tif 000007
【図６】
2018101886.tif 000008
【図７】
2018101886.tif 000009
【図８】
2018101886.tif 000010